(57)【要約】      （修正有）【課題】綴紙からステープルを簡単に抜き取ることのできるステープル引抜き器を提供する。【解決手段】可動部材４０、案内用押圧板５０、バネ要素６０及び係合片７０とから構成されたステープル引抜き器１００であって、前記可動部材４０は開口凹みが形成された係合凹部４１と、開口の後部側を所定の上向き傾斜角度で切欠き形成した係合縁部４２と、下面前方底部を切欠いて形成した連結用凹部４３と、連結用凹部４３の前方側壁面を上方に向けて所定の大きさに切欠いて形成した中央制限溝４４とから成り、前記案内用押圧板５０は、前記前記可動部材４０の下面部に形成された係合凹部４１と対応位置するように配設されており、前記案内押圧板５０の底部左右側縁部には、前記係合凹部４１の隣接ファセット面４１１と水平に整合する平坦な接触領域５２が形成される。【選択図】図３
0003107691.tif 000002
【実用新案登録請求の範囲】
【請求項１】
ステープル引抜き器の改良構造であって、前記ステープル引抜き器は、可動部材、案内用押圧板、バネ要素及び係合片とから構成されており、
前記可動部材は、下面部に上向の開口凹みが形成された係合凹部と、前記係合凹部の開口の後部側を所定の上向き傾斜角度で切欠き形成した係合縁部と、下面部前方底部を切欠いて形成した連結用凹部と、連結用凹部の前方側壁面を上方に向けて所定の大きさに切欠いて形成した中央制限溝とから成り、
前記案内用押圧板は、前記前記可動部材の下面部に形成された係合凹部と対応位置するように配設されており、前記案内押圧板の底部左右側縁部には、前記係合凹部の隣接ファセット面と水平に整合する平坦な接触領域が形成され、前記可動部材の上方向に傾斜させて形成した隣接状態となる係合縁部と共に移動空間を限定してなり、かつ前面部には、前記可動部材の制限溝と一致するように位置付けられる突出部が形成されており、
前記バネ要素は、その両端部がそれぞれ、前記係合凹部の内側壁面と、前記案内用押圧板の上側表面との間に配設されて、前記可動部材の後部側を常時弾性的に上方向へと付勢するようになっており、
前記係合片は、前端部に平坦な引抜き部を有し、前記可動部材の連結用凹部へ組み合わされて可動部材と一体に固着されるようになっており、
前記可動部材および案内押圧板を組み合わせて、ステープル引抜き器を構成し、使用においては前記可動部材の後部側を下方に押付けて、綴紙を結合しているステープルを取り除くようにしたことを特徴とするステープル引抜き器。
【請求項２】
前記係合片に固着された平坦な引抜き部は、底部で平坦面を形成するように、所定の角度をもって下方へ折り曲げられていることを特徴とする請求項１記載のステープル引抜き器。
【請求項３】
前記可動部材の内側壁面には所定位置に左右１対の旋回用孔が対称に配置されていて、該旋回用孔には連通する垂直案内通路が形成されていることを特徴とする請求項１記載のステープル引抜き器。
【請求項４】
前記可動部材の係合凹部は、可動部材の下面底部をＵ字形状に切欠いて凹部としたものであることを特徴とする請求項１記載のステープル引抜き器。
【考案の詳細な説明】
【技術分野】
【０００１】
本考案は、ステープル（ステープラー（ホッチキス）の針）引抜き器に関し、更に具体的に言うと、紙の上部に直接平らに載せられることで、手で抑えておかなくともステープル引抜き器をステープルで結合された綴紙の上面に安定して保持でき、失敗なく綴紙からステープルを簡単に抜き取ることのできるステープル引抜き器に関するものである。
【背景技術】
【０００２】
図１及び図２には、上方ハンドル及び下方ハンドルが相互十字状の交差状態に組み合わされてバネ（図示せず）を介して弾性的に支持された従来のステープル引抜き器が示されている。上方及び下方ハンドル１１，１２の前方端部には、それぞれ、三角形の貫通孔１３１を有する引抜き部１３と平坦押圧部１２１とが配設されている。使用する場合には、上方及び下方ハンドル１１，１２を手で掴んでしっかりと握ってから、上方ハンドル１２に配設されている引抜き部１３を前方へ押し付け、ステープル２０と綴紙３０の間に位置付ける。そして、上方及び下方ハンドル１１，１２を共に手で挟み付けて、図２に示すように、平坦押圧部１２１がステープルに隣接するまで引抜き部１３を上方へ引き上げる。そのまま上方及び下方ハンドル１１，１２を共に挟みつけて、平坦押圧部１２１がステープル２０を貫通孔１３１の方へ押し付けると、平坦な引抜き部１３に挟持力が生じて、綴紙からステープルを引き抜けるようになる。
【０００３】
しかしながら、このような従来のステープル引抜き器には以下のような不具合がある。ステープル引抜き器１０のような大概の従来のステープル引抜き器は、その構造が綴紙の上に対して水平に位置付けすることができない形状に作られているため、ステープル２０を取り外そうとする前に、まず上方及び下方ハンドル１１，１２を手に取って握ってから、使用中はそのままステープル引抜き器のハンドルを保持し続けて綴紙に止められたステープルを引き抜かなければならないので、使い勝手が悪く不便である。
【考案の開示】
【考案が解決しようとする課題】
【０００４】
従って、本考案の目的は、従来製品の上記のような不具合を改良したステープル引抜き器を提供することにあり、可動部材と、案内用押圧板と、バネ要素と、係合片とから構成されていて、この構成により、ステープル引抜き器を綴紙の上に直接水平に置くことができるため、手で保持していなくても綴紙の上面に安定した状態で載せて綴紙に止められたステープルを取り外すことのできるステープル引抜き器を提供することを目的とする。  
【課題を解決するための手段】
【０００５】
本考案に係る請求項１のステープル引抜き器は、可動部材と、案内用押圧板と、バネ要素と、係合片とから構成されており、前記可動部材４０は、下面部に上向の開口凹みが形成された係合凹部４１と、前記係合凹部４１の開口の後部側を所定の上向き傾斜角度で切欠き形成した係合縁部４２と、下面部前方底部を切欠いて形成した連結用凹部４３と、連結用凹部４３の前方側壁面を上方に向けて所定の大きさに切欠いて形成した中央制限溝４４とから成り、前記案内用押圧板５０は、前記前記可動部材４０の下面部に形成された係合凹部４１と対応位置するように配設されており、前記案内押圧板５０の底部左右側縁部には、前記係合凹部４１の隣接ファセット面４１１と水平に整合する平坦な接触領域５２が形成され、前記可動部材４０の上方向に傾斜させて形成した隣接状態となる係合縁部４２と共に移動空間Ａを限定してなり、かつ前面部には、前記可動部材４０の制限溝４４と一致するように位置付けられる突出部５３が形成されており、前記バネ要素６０は、その両端部がそれぞれ、前記係合凹部４１の内側壁面と、前記案内用押圧板５０の上側表面との間に配設されて、前記可動部材４０の後部側を常時弾性的に上方向へと付勢するようになっており、前記係合片は、前端部に平坦な引抜き部７１を有し、前記可動部材４０の連結用凹部４３へ組み合わされて可動部材４０と一体に固着されるようになっており、前記可動部材および案内押圧板を組み合わせて、ステープル引抜き器を構成し、使用においては前記可動部材の後部側を下方に押付けて、綴紙を結合しているステープルを取り除くようにしたことを特徴とする。
【０００６】
請求項２の考案は、請求項１記載のステープル引抜き器において、前記係合片に固着された平坦な引抜き部は、底部で平坦面を形成するように、所定の角度をもって下方へ折り曲げられていることを特徴とする。
【０００７】
請求項３の考案は、請求項１記載のステープル引抜き器において、前記可動部材の内側壁面には所定位置に左右１対の旋回用孔が対称に配置されていて、該旋回用孔には連通する垂直案内通路が形成されていることを特徴とする。
【０００８】
請求項４の考案は、請求項１記載のステープル引抜き器において、前記可動部材の係合凹部は、可動部材の下面底部をＵ字形状に切欠いて凹部としたものであることを特徴とする。
【考案の効果】
【０００９】
本考案のステープル引抜き器は、その底部を平坦に構成し、直接綴紙の上面に水平に乗せて置くことができるため、綴紙の上に安定的に配置でき、従来のように使用中はステープル引抜き器の上方及び下方ハンドルを手で握り続けている必要がないので、使い勝手がよく、また、可動部材と一体になるように構成された係合片により、綴紙に止めてあるステープルをスムーズに失敗なく簡単に取り外すことができる。
【考案を実施するための最良の形態】
【００１０】
以下、本考案の好適な実施形態について、図面を参照して説明する。
【実施例】
【００１１】
図３〜５は本考案のステープル引抜き器の実施例を示す図であり、図３に示すように、本考案のステープル引抜き器１００は、可動部材４０と、案内用押圧板５０と、バネ要素６０と、係合片７０とから構成されている。
【００１２】
前記可動部材４０は、下面部に上向の開口凹みが形成された係合凹部４１と、前記係合凹部４１の開口の後部側を所定の上向き傾斜角度で切欠き形成した係合縁部４２と、下面部前方底部をＵ字形状に切欠いて形成した連結用凹部４３と、連結用凹部４３の前方側壁面を上方に向けて所定の大きさに切欠いて形成した中央制限溝４４とから成る。
前記係合凹部４１の前方側壁内面の所定位置には１対の旋回用孔４５が左右対称に形成され、これらの旋回用孔４５はそれぞれ、底部側で下方に伸長している垂直案内通路（トラック）４６と連通している。
【００１３】
前記案内用押圧板５０は、前記前記可動部材４０の下面部に形成された係合凹部４１と対応位置するように配設されるもので、前記案内用押圧板５０の前方側の左右側面対称位置に１対の旋回ロッド５１が配設されており、この１対の旋回ロッド５１を前記可動部材４０の垂直案内通路４６を介して上方へ押付けることで、前記旋回用孔４５に確実に係合させて、前記案内用押圧板５０が前記可動部材４０の係合凹部４１の中に位置付けられるようになる。
【００１４】
前記バネ要素６０は、湾曲面を有する板バネからなり、その両端部がそれぞれ、前記係合凹部４１の内壁面上部と、前記案内用押圧板５０の上部外表面との間に配置されるように取り付けられ、可動部材４０の後部側は前記案内用押圧板５０に対し常時バネ要素６０によって弾性的に上方向へと付勢されるようになっている。
【００１５】
更に、案内押圧板５０には、その底部側の横側縁部に伸長し且つ前記係合凹部４１の隣接ファセット面４１１と水平に整合する平坦な接触領域５２が形成されており、図４に示されるように前記可動部材４０の上方向に傾斜させて形成した隣接状態となる係合縁部４２と共に移動空間Ａを限定している。
また、前記案内押圧板５０には、その前方側に突出して配置された突出部（プッシュ・ブロック）５３が形成されていて、前記可動部材４０の制限溝４４と一致するように位置付けられている。
【００１６】
前記係合片７０は、前記可動部材４０のＵ字形状に切欠いて形成した連結用凹部４３へ固着されて組み合わされ、一体構造となる。そして、前記案内押圧板５０の突出部５３に一致するように形成された三角形状の貫通孔７１１を有する限定された平坦な引抜き部７１が、係合片７０の一端に固着されている。この平坦な引抜き部７１は、底部で平坦面を形成するように、適切に下方へ曲げられている。
【００１７】
図４及び図５を参照して説明する。
実際に使用する際には、本考案のステープル引抜き器は、その案内押圧板５０の平坦な接触領域５２を綴紙の上表面に載せると、係合凹部４１の隣接ファセット面４１１及び係合片７０が紙上面に水平に位置付けられる。そして、ステープル引抜き器を綴紙３０に止められているステープル２０の方へ移動し、平坦な引抜き部７１を水平に案内して、ステープルと綴紙上面との間に押し入れる。
【００１８】
さらに、可動部材４０の後部側を移動空間Ａを利用して下方へ押付けると、旋回用孔４５に係合されている前記案内押圧板５０の旋回用ロッド５１に沿って下方へ移動し、それと同時に、図４に示すように、バネ要素６０をきつく押付けるようになる。
【００１９】
前記移動空間Ａを利用して下降している係合凹部４１の係合縁部４２が綴紙３０の上表面に完全に接触してその表面を覆った状態では、前記連結凹部４３に設置された係合片７０と共に隣接ファセット面４１１が旋回して上方へ持ち上げられて、下降する係合縁部４２に対して反対側に上昇する。
【００２０】
従って、ステープル２０の中間部の上面が突出部（プッシュ・ブロック）５３によって押し止められて、更にステープル２０を三角形の貫通孔７１１の方へ押し付けるようにすると、平坦な引抜き部７１との間に挟持力が発生するので、簡単にスムーズにステープル２０を綴紙から取外すことができるようになる。
【００２１】
故に、本考案による可動部材４０及び案内押圧板５０の設計構造によれば、本考案のステープル引抜き器を綴紙３０の上面に直接水平に設置でき、綴紙３０を結合したステープル２０を引抜くために下方へ押付けられた場合に、手で保持していなくても安定してその上面に載置することができるので、使い勝手がよく、簡単便利に適用でき、最高の使用状態が達成されるものである。
【図面の簡単な説明】
【００２２】
【図１】従来のステープル引抜き器の使用状態を示す側面図。
【図２】従来のステープル引抜き器でステープルを引き抜いている使用状態を示す側面図。
【図３】本考案のステープル引抜き器の実施例を示す分解斜視図。
【図４】本考案のステープル引抜き器の操作状態を示す側面図。
【図５】本考案のステープル引抜き器でステープルを引き抜いている状態を示す側面図。
【符号の説明】
【００２３】
１００  ステープル引抜き器
４０    可動部材
４１    係合凹部
４２    係合縁部
４３    連結凹部
４５    旋回用孔
５０    案内押圧板
５１    旋回用ロッド
４１１  隣接ファセット面
６０    バネ要素
７０    係合片
７１    平坦な引抜き部
Ａ      移動空間
【図１】
0003107691.tif 000003
【図２】
0003107691.tif 000004
【図３】
0003107691.tif 000005
【図４】
0003107691.tif 000006
【図５】
0003107691.tif 000007